(57)【要約】      （修正有）【課題】表現形式が多様で、幻影効果のある仏像が具現できる幻影イメージング仏壇を提供する。【解決手段】幻影イメージング仏壇は、仏壇室１と、仏壇室１の底面の下方に位置する台座７と、仏壇室１の頂面に設けられる第１のディスプレイ２と、仏壇室１内に、第１のディスプレイ２に対して傾斜して置かれ、その底部がバックパネルから離れているハーフミラー３と、仏壇室１のバックパネルに設けられる第２のディスプレイ４と、ハーフミラー３と第２のディスプレイ４の間に位置する仏像５と、仏壇室１の底面に設けられるライト６と、第１のディスプレイ２に接続される第１のプレーヤー８と、第２のディスプレイ４に接続される第２のプレーヤー９と、ライト６、第１のディスプレイ２、第２のディスプレイ４及びプレーヤー８、９に電力を供給する電源管理システム１０と、を含む。【選択図】図２
0003202259.tif 000002
【実用新案登録請求の範囲】
【請求項１】
仏壇室と、
前記仏壇室の底面の下方に位置する台座と、
前記仏壇室の頂部の内側に設けられ、且つその表示面が前記仏壇室の底部に向いている第１のディスプレイと、
前記仏壇室の中に、前記第１のディスプレイに対して傾斜して置かれ、その頂端が仏壇室のバックパネルに近接し、その底部がバックパネルから離れているハーフミラーと、
前記仏壇室のバックパネルに設けられ、その表示面がビューウィンドウに向いている第２のディスプレイと、
前記仏壇室の中に設けられ、前記ハーフミラーと前記第２のディスプレイの間に位置する仏像と、
前記仏壇室の中に設けられるライトと、
前記第１のディスプレイに接続される第１のプレーヤーと、
前記第２のディスプレイに接続される第２のプレーヤーと、
前記ライト、前記第１のディスプレイ、前記第２のディスプレイ、前記第１のプレーヤー及び前記第２のプレーヤーに電力を供給する電源管理システムと
を含むことを特徴とする幻影イメージング仏壇。
【請求項２】
前記ハーフミラーは、ガラス及びガラスの表面に設けられる半透過半反射膜を含むことを特徴とする請求項１に記載の幻影イメージング仏壇。
【請求項３】
前記ハーフミラーと前記第１のディスプレイとの間の夾角は３０〜６０度であることを特徴とする請求項１に記載の幻影イメージング仏壇。
【請求項４】
前記ハーフミラーと前記第１のディスプレイとの間の夾角は４５度であることを特徴とする請求項３に記載の幻影イメージング仏壇。
【請求項５】
前記ハーフミラーの頂端には回転軸が設けられ、前記ハーフミラーは前記回転軸を中心として回転可能であることを特徴とする請求項１に記載の幻影イメージング仏壇。
【請求項６】
前記ライトは、前記仏壇室の底面及び／または前記仏壇室の側面に設けられることを特徴とする請求項１に記載の幻影イメージング仏壇。
【請求項７】
前記第１のプレーヤー及び／または前記第２のプレーヤーには更新可能なビデオ映像が含まれていることを特徴とする請求項１に記載の幻影イメージング仏壇。
【請求項８】
前記電源管理システムに接続されるオーディオ機器をさらに含むことを特徴とする請求項１に記載の幻影イメージング仏壇。
【請求項９】
前記電源管理システムに接続され、且つ、前記第１のプレーヤー、前記第２のプレーヤー、前記オーディオ機器及び前記ライトの間で連動を図るように、前記第１のプレーヤー、前記第２のプレーヤー、前記オーディオ機器及び前記ライトを自動的に制御する制御器をさらに含むことを特徴とする請求項８に記載の幻影イメージング仏壇。
【請求項１０】
前記ライトは、取り外し可能なＬＥＤライティングモジュールであり、
前記ＬＥＤライティングモジュールは、前記ＬＥＤライティングモジュールの明／暗を自動的に制御するための前記制御器に接続される
ことを特徴とする請求項９に記載の幻影イメージング仏壇。
【請求項１１】
ＳＤカードスロット及び／またはＵＳＢコネクターをさらに含むことを特徴とする請求項１に記載の幻影イメージング仏壇。
【請求項１２】
ブルートゥースユニット及び／またはネットワークエレメント及び／またはＷＩＦＩユニットをさらに含むことを特徴とする請求項１に記載の幻影イメージング仏壇。
【考案の詳細な説明】
【技術分野】
【０００１】
本考案は、宗教または祭礼の用具及び旅行記念品またはゲーム機などに関し、特に、幻影イメージング（Ｐｈａｎｔｏｍ  Ｉｍａｇｉｎｇ）の仏壇に関する。
【背景技術】
【０００２】
従来の仏壇は、仏壇室の中に実物の仏像を置くだけで、その形式は非常にシンプルである。図１に示したように、仏壇室１は、頂面、底面、バックパネル及びビューウィンドウ１１に囲まれてなり、仏壇室１の底部には仏壇を支持するための台座７が設けられる。仏像５は、仏壇室１の中に置かれたまま静止されており、仏像５の前面の底部には仏教を紹介する写真や文字板が設けられることもあるが、これらも静止したものである。
従って、伝統的な仏壇は、静止した実物の仏像、写真、文字などの形に留まっているものが多く、その表現形式は単一である。
【考案の概要】
【０００３】
本考案は、従来技術に存在する上記のような問題点に鑑みてなされたものであり、表現形式が多様で、幻影效果のある仏像が具現できる幻影イメージング仏壇を提供する。
【０００４】
上記の技術的問題を解決するための本考案は、以下のような技術案により実現される。
本考案は、仏壇室、台座、第１のディスプレイ、ハーフミラー、第２のディスプレイ、仏像、ライト、第１のプレーヤー、第２のプレーヤー及び電源管理システムを含む幻影イメージング仏壇を提供する。ここで、前記台座は、前記仏壇室の底面の下方に位置し、前記第１のディスプレイは、前記仏壇室の頂面に設置され、且つその表示面が底面に向いており、前記ハーフミラーは、前記第１のディスプレイの側面に対し、前記第１のディスプレイとの間に３０〜６０度の夾角をなし、前記第２のディスプレイは、前記仏壇室のバックパネルに設けられ、且つその表示面がビューウィンドウに向いており、前記仏像は、仏壇室の中に設けられ、且つ前記ハーフミラーと前記第２のディスプレイの間に位置し、前記ライトは、前記仏壇室の中に設けられ、前記第１のプレーヤーは、前記第１のディスプレイに接続され、前記第２のプレーヤーは、前記第２のディスプレイに接続され、前記電源管理システムは、前記ライト、第１のディスプレイ、第２のディスプレイ、第１のプレーヤー及び第２のプレーヤーに電力を供給する。
【０００５】
前記ハーフミラーは、ガラス及びガラスの表面に設けられる半透過半反射膜を含むことが好ましい。
【０００６】
前記ハーフミラーと前記第１のディスプレイとの間の夾角は３０〜６０度であることが好ましい。
【０００７】
前記ハーフミラーと前記第１のディスプレイとの間の夾角は４５度であることが好ましい。
【０００８】
前記ハーフミラーの頂端には回転軸が設けられることが好ましく、前記ハーフミラーは、前記回転軸を中心として開閉できるように回転可能であるので、使用者は、仏壇室を開けて必要な仏像に取り替えることができる。
【０００９】
前記ライトは、前記仏壇室の底面及び／または前記仏壇室の側面に設置されることが好ましく、仏壇室の側面に、内側へ向かって斜めに投光するライトを設ける場合、仏像の顔が一層明るくてはっきり見える。
【００１０】
前記第１のプレーヤー及び／または前記第２のプレーヤーには更新可能なビデオ映像がさらに含くまれるようにすることが好ましく、この場合、ニーズに応じてビデオ映像の内容を取り替えることができる。
【００１１】
前記仏壇は、前記電源管理システムに接続されるオーディオ機器をさらに含むことが好ましい。
【００１２】
前記仏壇は、前記電源管理システムに接続され、且つ前記第１のプレーヤー、前記第２のプレーヤー、前記オーディオ機器及び前記ライトの間で連動を図るように、前記第１のプレーヤー、前記第２のプレーヤー、前記オーディオ機器及び前記ライトを自動的に制御する制御器をさらに含むことが好ましい。
【００１３】
前記ライトは、取り外し可能なＬＥＤライティングモジュールであり、前記ＬＥＤライティングモジュールは、前記ＬＥＤライティングモジュールの明／暗を自動的に制御するための前記制御器に接続されることが好ましい。ＬＥＤライティングモジュールに故障が発生した場合、故障したＬＥＤライティングモジュールのみを取り替えるだけで済むので、メンテナンスが便利になり、また、ニーズに応じて異なる機能のＬＥＤライティングモジュールを取り替えることができる。ＬＥＤライティングモジュールは、制御器の制御の下で、音楽またはビデオ映像に合わせて点滅したり、だんだん暗く変化したりすることで、利用者の体験を向上する。
【００１４】
仏壇は、ＳＤカードスロット及び／またはＵＳＢコネクターをさらに含むことで、仏壇プレーヤーの内容を更新及び拡充できるようにすることが好ましい。
【００１５】
仏壇は、ブルートゥースユニット及び／またはネットワークエレメント及び／またはＷＩＦＩユニットをさらに含むことで、ブルートゥースユニットまたはネットワークエレメント及び／またはＷＩＦＩユニットにより携帯電話またはコンピュータまたはタブレットなどの移動端末に接続して遠隔制御を実現できることが好ましい。
【００１６】
本考案は、従来技術と比較して下記のような利点を有する。
本考案により提供される幻影イメージング仏壇は、その表現形式が豊かであり、実物の仏像のほかにも、ビデオ映像、オーディオなどのマルチメディア技術を導入して、動的効果を具現することにより、人々に斬新な感覚を与える。２つのディスプレイとハーフミラーを設けることにより、３Ｄの幻影効果を作り出すとともに、オーディオ機器を設けて各種の経文及びバックグラウンドミュージックを再生することにより、人々に全く新しい視覚的及び聴覚的な楽しみを与えて、人々の体験を向上し、仏教に対する人々の理解を深めることができる。
【図面の簡単な説明】
【００１７】
以下、図面を用いて本考案の実施例について更なる説明を行う。
【図１】従来の仏壇の構成を示す模式図である。
【図２】本考案の実施例１に係る幻影イメージング仏壇の構成を示す模式図である。
【図３】本考案の実施例２に係る幻影イメージング仏壇の構成を示す模式図である。
【図４】本考案に係る幻影イメージング仏壇の操作状態図である。
【図５】本考案に係る幻影イメージング仏壇のハーフミラーの回転軸を示す図である。
【考案を実施するための形態】
【００１８】
以下、本考案に係る実施例について詳しく説明する。本実施例は、本考案の技術案を前提に実施されるものであり、具体的な実施形態及び具体的な操作の過程を示したが、本考案の保護範囲は、後述の実施例のみに限定されるものではない。
【００１９】
実施例１：
本実施例では、本考案に係る幻影イメージング仏壇について詳しく説明する。図２に示すように、幻影イメージング仏壇は、仏壇室１、第１のディスプレイ２、ハーフミラー３、第２のディスプレイ４、仏像５、ライト６、台座７、第１のプレーヤー８、第２のプレーヤー９及び電源管理システム１０を含む。ここで、第１のディスプレイ２は、仏壇室１の頂面に設けられ、且つその表示面は底面に向いており、ハーフミラー３は、第１のディスプレイ２の側面に対し、第１のディスプレイ２と４５度の夾角をなし、第２のディスプレイ４は、仏壇室１のバックパネルに設けられ、且つその表示面はビューウィンドウ１１に向いており、仏像５は、仏壇室１の後部に位置され、ライト６は、仏壇室１の底面に設けられ、台座７は、仏壇室１の底面の下方に位置され、第１のプレーヤー８は、第１のディスプレイ２に接続され、第２のプレーヤー９は、第２のディスプレイ４に接続され、電源管理システム１０は、ライト６、第１のディスプレイ２、第２のディスプレイ４、第１のプレーヤー８及び第２のプレーヤー９に電力を供給するためのものである。
【００２０】
本実施例に係る第１のプレーヤー８、第２のプレーヤー９及び電源管理システム１０は、台座の内部に設けられる。好ましい実施例として、第１のプレーヤー８は第１のディスプレイ２に集積されてもよく、第２のプレーヤー９は第２のディスプレイ４に集積されてもよく、これにより占有スペースを減らすだけではなく、回路の接続も少なくすることができる。他の実施例として、電源管理システムを他の位置に設けてもよい。
【００２１】
第１のディスプレイ２により再生されるビデオ映像は、それと４５度の夾角をなすハーフミラー３により反射されて前景映像となり、第２のディスプレイ４は、遠景用ディスプレイであり、それにより再生されるビデオ映像は背景画面となり、この２つのディスプレイの間には実物の仏像５が存在する。前景映像及び背景映像、ライト６の強弱及びオンオフの変化により、３Ｄの幻影効果を作り出す。
【００２２】
本実施例に係る仏壇において、仏壇室１の中のライト６をオンにすると、仏像５が照らし出され、第２のディスプレイ４により再生される背景画面は仏国の景色（例えば、雲霧、瓔珞、蓮の花、河流など）であり、第１のディスプレイ２からの反射された前景画面１４は様々な特殊な効果（例えば、落ち花、煙霧、火炎、竜、天女、仏光など）を表す画面であり、様々な背景と特殊な効果により、仏像５を生きているように感じさせ、また、位置合わせ技術により仏像５から金色の仏光を発するようにすることもできる。または、仏像５が明るく照らし出されると、仏像５を遮らないことを前提に、小窓の方式により仏教に関する図面／文字説明またはビデオ映像を再生することで、仏像５の生まれ、由来及び仏教の物語を紹介することもできる。仏壇室１の中のライト６がオフにされると、特別に製作した前景画面１３によって実物の仏像５を遮った上、第２のディスプレイ４により再生される仏教に関わる物語をさらに利用して、２つのビデオ映像の協同により３Ｄの幻影効果を具現することができる。第１のプレーヤー８及び第２のプレーヤー９中のビデオ映像はニーズに応じて更新できる。第１のディスプレイ２が待機状態になると、反射される前景画面１４の右上のコーナーに仏教の重要な祝日と重要なイベントなどを表示することにより、仏教の宣伝を強化することができる。
【００２３】
本実施例に係る仏壇は、台座７の中に設けられるオーディオ機器１２をさらに含み、オーディオ機器１２は、第１のプレーヤー８の内容に合わせたオーディオ及び／または第２のプレーヤー９の内容に合わせたオーディオを再生してもよく、各種の経文及びバックグラウンドミュージックを再生してもよく、前景画面１４を紹介するためのオーディオを再生してもよく、視／聴を組み合わせることにより、人々に深い印象を与えるようになる。他の実施例として、オーディオ機器を他の位置に設けてもよい。
【００２４】
実施例２：
本実施例に係る幻影イメージング仏壇は、電源管理システム１０により電力が供給された制御器１３をさらに含んでいるという点で、実施例１と異なる。制御器１３は、第１のプレーヤー８、第２のプレーヤー９、オーディオ機器１２及びライト６を自動的に制御することができ、第１のプレーヤー８を制御することによって第１のディスプレイ２の再生内容と再生時間を制御し、第２のプレーヤー９を制御することによって第２のディスプレイ４の再生内容と再生時間を制御し、オーディオ機器１２の再生内容と再生時間を制御し、ライト６のオンオフと明暗を制御し、第１のプレーヤー８が第２のプレーヤー９と同時に再生されるように制御する。
【００２５】
制御器１３は、本実施例において台座の中に設けられるが、他の実施例として、他の位置に設けられてもよい。例えば、第１のプレーヤー８が第１のディスプレイ２に集積され、且つ第２のプレーヤー９が第２のディスプレイ４に集積された場合、制御器１３を第１のプレーヤーと第２のプレーヤーの間に設けてもよい。
【００２６】
より好ましい実施例において、ライトは、ＬＥＤライティングモジュールであり、且つ当該ＬＥＤライティングモジュールは取り外し可能に仏壇室１の中に設置される。制御器１３は、ＬＥＤライティングモジュールが点滅したり、だんだん暗くまたはだんだん明るく変化したりするように制御することができる。
【００２７】
より好ましい実施例において、ハーフミラー３の頂端に回転軸１５が設置されており、図５に示すように、ハーフミラー３は開閉できるように回転軸１５を中心として回転可能であるので、使用者は、仏壇室１を開けて、ニーズに応じて必要な仏像を取り替えることができる。
【００２８】
より好ましい実施例において、仏壇は、ＳＤカードスロット及び／またはＵＳＢコネクターをさらに含み、仏壇のプレーヤーの再生内容を更新及び拡充することができる。仏壇は、ブルートゥースユニット及び／またはネットワークエレメント及び／またはＷＩＦＩユニットをさらに含み、ブルートゥースユニットまたはネットワークエレメント及び／またはＷＩＦＩユニットにより携帯電話などの移動端末に接続して遠隔制御を図ることができる。携帯電話またはコンピュータまたはタブレットなどの移動端末において自由に写真またはビデオ映像にバックグラウンドミュージックを添加して仏壇に伝送することで、仏壇の再生内容を一層豊かにすることができ、しかも特別形式のも再生できる。
【００２９】
ここで公開されたのは本考案の好ましい実施例である。本明細書でこれらの実施例を挙げて具体的に説明したのは、本考案の原理と実際的応用をより良く説明するためであって、本考案を限定するためではない。当業者が本明細書の範囲内において行った如何なる修正及び変更も、本考案の保護範囲に入るべきである。
【符号の説明】
【００３０】
１    仏壇室
２    第１のディスプレイ
３    ハーフミラー
４    第２のディスプレイ
５    仏像
６    ライト
７    台座
８    第１のプレーヤー
９    第２のプレーヤー
１０  電源管理システム
１１  ビューウィンドウ
１２  オーディオ機器
１３  制御器
１４  前景画面
１５  回転軸
【図１】
0003202259.tif 000003
【図２】
0003202259.tif 000004
【図３】
0003202259.tif 000005
【図４】
0003202259.tif 000006
【図５】
0003202259.tif 000007